(57)【特許請求の範囲】
【請求項１】
内視鏡の処置具挿通路に挿通して使用される内視鏡用注射具であって、
可撓性と弾力性があって上記処置具挿通路に直接挿脱自在な一本の合成樹脂製チューブからなる送液チューブの先端を切り削いで注射針部を形成し、上記送液チューブ内に液体を送り込むための液体注入口を上記送液チューブの基端に設けると共に、上記注射針部が上記処置具挿通路の先端から所定の長さ突出された状態の時に上記送液チューブを上記処置具挿通路の入口側口元部分に係合させて固定するための固定手段を、上記送液チューブの途中に取り付けたことを特徴とする内視鏡用注射具。
【請求項２】
上記処置具挿通路の入口側口元が奥へ漸次細くなるテーパ孔状に形成されていて、上記固定手段が上記処置具挿通路の入口側口元に係合するテーパ筒状に形成されている請求項１記載の内視鏡用注射具。
【請求項３】
上記固定手段が、上記送液チューブに対して軸線方向に可動に且つ任意の位置に固定自在に設けられている請求項１又は２記載の内視鏡用注射具。
【発明の詳細な説明】
【０００１】
【発明の属する技術分野】
この発明は、内視鏡の処置具挿通路を通じて患者の体腔内に注射をするための内視鏡用注射具に関する。
【０００２】
【従来の技術】
内視鏡用注射具は一般に、外套管内に進退自在に通された送液チューブの先端に注射針を接続して、手元側で送液チューブを進退操作することによって、先端の注射針部が外套管の先端から出し入れされるようになっている。
【０００３】
【発明が解決しようとする課題】
しかし、上述のように外套管内に送液チューブを通した二重管構造になっていると、外径寸法が太くなるので、気管支用内視鏡その他の細径の内視鏡のように処置具挿通路の内径が細い内視鏡では、注射具を使用することができなかった。
【０００４】
そこで本発明は、処置具挿通路の内径が細い内視鏡においても実用的に使用することのできる内視鏡用注射具を提供することを目的とする。
【０００５】
【課題を解決するための手段】
上記の目的を達成するため、本発明の内視鏡用注射具は、内視鏡の処置具挿通路に挿通して使用される内視鏡用注射具であって、可撓性と弾力性があって上記処置具挿通路に直接挿脱自在な一本の合成樹脂製チューブからなる送液チューブの先端を切り削いで注射針部を形成し、上記送液チューブ内に液体を送り込むための液体注入口を上記送液チューブの基端に設けると共に、上記注射針部が上記処置具挿通路の先端から所定の長さ突出された状態の時に上記送液チューブを上記処置具挿通路の入口側口元部分に係合させて固定するための固定手段を設けたことを特徴とする。
【０００６】
なお、上記処置具挿通路の入口側口元を奥へ漸次細くなるテーパ孔状に形成して、上記固定手段を、上記処置具挿通路の入口側口元に係合するテーパ筒状に形成してもよい。
【０００７】
また、上記固定手段を、上記液体注入口部に一体的に形成してもよく、上記固定手段を、上記送液チューブの途中に取り付けてもよい。
【０００８】
【発明の実施の形態】
図面を参照して実施の形態を説明する。
図１は、本発明の内視鏡用注射具１０が内視鏡１の処置具挿通路２に挿通された、使用状態を示している。
【０００９】
処置具挿通路２は、先端出口が内視鏡１の挿入部１ａの先端に開口し、基端入口が内視鏡１の操作部１ｂから斜め上方向きに突出して開口している。２ａは処置具挿通路２の先端出口開口、２ｂは基端側の開口部に形成された入口口金である。入口口金２ｂの内面は、奥へ漸次細くなるテーパ孔状に形成されている。
【００１０】
先端出口開口２ａと入口口金２ｂとの間は、ポリエチレン四フッ化エチレン樹脂（ＰＴＦＥ）等のような、可撓性チューブからなる処置具挿通チャンネル２ｃによって連通接続されている。
【００１１】
注射具１０は、全長にわたって、可撓性と弾力性があって処置具挿通路２内に直接挿脱自在な一本の合成樹脂製のチューブからなる送液チューブ１１によって形成されている。その材料としては、例えばポリイミド樹脂又はＰＴＦＥ等を用いることができる。ただし、その他の種類の合成樹脂でもよい。
【００１２】
送液チューブ１１の先端は、人の体腔内壁に突き刺すことができるように、斜めに切り削がれて、注射針部１２が形成されている。また、手元側の送液チューブ１１の基端には、送液チューブ１１内に液体を送り込むための液体注入口部１３が固定的に連結されている。
【００１３】
そして、液体注入口部１３には、外周面が処置具挿通路２の入口口金２ｂのテーパ状孔にぴったりと係合するテーパ筒状に形成された固定筒１４が、一体的に形成されている。
【００１４】
この固定筒１４は、処置具挿通路２の入口口金２ｂに外方から強く差し込むことによってそこに固定され、その時に、注射針部１２が処置具挿通路２の先端出口開口２ａから所定の長さＬだけ突出した状態になるように設定されている。固定筒１４は、外方に強く引っ張れば入口口金２ｂから取り外される。
【００１５】
注射針部１２の先端突出長Ｌは、例えば２〜２０ｍｍ程度に設定されるが、膵臓や肝臓等に対する処置の場合には４０ｍｍ程度に設定するのがよい例もあり、使用目的に応じて最適の長さの注射具１０を選択すればよい。
【００１６】
なお、処置具挿通路２の固定筒１４と入口口金２ｂとの係合部は、上述の構造に限らず、固定筒１４が入口口金２ｂに対して係合自在であって、係合時には固定筒１４が入口口金２ｂに固定されるものであれば、例えばいわゆるルアーロック口金などどのようなものを用いてもよい。
【００１７】
このように形成された注射具１０は、内視鏡１の処置具挿通路２に挿通して、固定筒１４を入口口金２ｂに係合させることにより、注射針部１２が先端出口開口２ａから所定の長さＬだけ突出した状態に固定される。
【００１８】
そして、内視鏡１で患部を観察しながら挿入部１ａの先端を患部に向かって押しつけることにより、注射具１０の注射針部１２が患部に穿刺される。そこで、液体注入口部１３に接続した注射器（図示せず）から薬液を注入したり、吸引生検等を行うことができる。
【００１９】
この場合、注射具１０には外套管がないので、従来の内視鏡用注射具と比較すると、注射具１０の外径寸法を細くして、しかも薬液が通る管路径を十分に太くとることができる。したがって、挿入部１ａの外径の細い内視鏡１を介して十分な薬液な注射することができる。
【００２０】
注射具１０による処置が終了したら、処置具挿通路２の入口口金２ｂから固定筒１４を外して、注射具１０を処置具挿通路２から抜き出し、内視鏡１で患部の様子を観察してから内視鏡１を体腔外に引き出す。
【００２１】
図２は、本発明の第２の実施の形態を示しており、処置具挿通路２の入口口金２ｂに係脱自在な固定筒１４を、液体注入口部１３から分離して送液チューブ１１の途中の部分に固着し、液体注入口部１３を固定筒１４より手元側に引き出したものである。このように構成することにより、液体注入口部１３からの薬液注入等の操作を行いやすくなる。
【００２２】
その他の構成は前述の第１の実施の形態と同じであり、固定筒１４を処置具挿通路２の入口口金２ｂに係合させれば、注射針部１２が処置具挿通路２の先端出口開口２ａから所定長Ｌだけ突出した状態に固定される。
【００２３】
図３は、本発明の第３の実施の形態を示しており、固定筒１４を、送液チューブ１１の外面に沿う貫通孔が形成された摺動筒１４ａと、その摺動筒１４ａを送液チューブ１１に固定するための固定用テーパ筒１４ｂとに分けて形成したものである。
【００２４】
図４にも示されるように、摺動筒１４ａの先側の外周面には入口口金２ｂに係合させるためのテーパ面１４ｃが形成され、それとは逆向きのテーパ面１４ｄが手元側の外周面に形成されている。
【００２５】
また、外周面から内側の貫通孔に抜けるスリット１４ｅが、軸方向に真っ直ぐに全長にわたって形成されている。１４ｆは、固定用テーパ筒１４ｂが抜け出すのを防ぐために摺動筒１４ａの手元側端部に突設された突起である。その他の部分は、前述の第２の実施の形態と同じである。
【００２６】
このような構成により、固定用テーパ筒１４ｂを軸線方向に移動させて手元側テーパ面１４ｄをきつく締めつけた状態にすると、スリット１４ｅの幅が狭まる方向に摺動筒１４ａが弾性変形して送液チューブ１１の外周面に押しつけられ、固定筒１４が送液チューブ１１に固定された状態になる。
【００２７】
そして、固定用テーパ筒１４ｂを逆方向に移動させれば、摺動筒１４ａが自己の弾性によって元の自然状態に戻り、送液チューブ１１に対してスライド可能な状態になる。
【００２８】
したがって、この実施の形態では、固定筒１４を送液チューブ１１に対して任意の位置で固定することができ、注射具１０の注射針部１２が処置具挿通路２の先端出口開口２ａから突出する所定長Ｌを、使用目的等に応じて自由に設定することができる。
【００２９】
【発明の効果】
本発明によれば、内視鏡の処置具挿通路に直接挿脱自在な一本の合成樹脂製チューブからなる送液チューブの先端を切り削いで注射針部を形成したので、注射具の外径を細く形成することができて挿入部の細い内視鏡にも使用することができ、さらに、先端の注射針部が処置具挿通路の先端から所定の長さ突出された状態の時に送液チューブを処置具挿通路の入口側口元部分に係合させて固定する固定手段を設けたので、患部に対して内視鏡自体を押しつけることにより、注射針部を正確に所定の深さだけ患部に穿刺することができる。
【００３０】
そして、固定手段を送液チューブの途中に設ければ、液体注入口を手元側に引き出して、薬液注入操作等を容易に行うことができる。
【図面の簡単な説明】
【図１】本発明の第１の実施の形態の、一部を断面で示す側面図である。
【図２】本発明の第２の実施の形態の、一部を断面で示す側面図である。
【図３】本発明の第３の実施の形態の、一部を断面で示す側面図である。
【図４】本発明の第３の実施の形態の固定筒の斜視図である。
【符号の説明】
１  内視鏡
２  処置具挿通路
２ａ  先端出口開口
２ｂ  入口口金
１０  注射具
１１  送液チューブ
１２  注射針部
１３  液体注入口部
１４  固定筒
【図１】
0003548296.tif 000002
【図２】
0003548296.tif 000003
【図３】
0003548296.tif 000004
【図４】
0003548296.tif 000005